(57)【要約】【課題】従来の鼻緒擦れ防止具は履物と一体化している、または取り付けるタイプであるが、履物のデザインを限定したり、履物のデザインを損ねがちである。また多少なりとも摩擦は生じるので、敏感肌の人はどうしても鼻緒擦れを起こしてしまう。さらに肌と密接するため、汚れやすく変色してしまう。本考案は鼻緒を有する履物を長時間着用しても鼻緒擦れが生じないように皮膚の表面に摩擦を生じさせず、また履物のデザインを限定したり損ねたりせず、履物を汚す事もない鼻緒擦れ防止具の提供を課題とする。【解決手段】裏面に粘着層が設けられた薄手の弾力性と可とう性を有する４片以上の突出片からなる多角形状鼻緒擦れ防止シートを、足の指の股に貼り付ける。4片以上の突出片からなる多角形状に含まれるものは、十字形、花形、星形、大の字形、また1片以上が複雑なデザインにされているものなど。【選択図】  図１
0003120785.tif 000002
【実用新案登録請求の範囲】
【請求項１】
裏面に粘着層が設けられた薄手の弾力性と可橈性を有する４片以上の突出片からなる多角形状鼻緒擦れ防止シート。
【考案の詳細な説明】
【技術分野】
【０００１】
本考案は、鼻緒を有する履物に対して肌を守る防護品に関する。
【背景技術】
【０００２】
従来の鼻緒擦れ防止具には次の様なものがある。
【特許文献１】実開平06-38602（履き物）
【特許文献２】登録実用3106258（鼻緒擦れ防止具）
【考案の開示】
【考案が解決しようとする課題】
【０００３】
特許文献1の鼻緒擦れ防止具は、その公報の図1に示す様に履物と一体化しているタイプの鼻緒擦れ防止具であるため履物のデザインが限定される。特許文献2は履物に取り付けるタイプの鼻緒擦れ防止具であるため履物のデザインを損ねがちである。また特許文献1,2共多少なりとも摩擦は生じるので、敏感肌の人はどうしても鼻緒擦れを起こしてしまう。さらに肌と密接するため、汚れやすく変色してしまう。
【０００４】
鼻緒擦れ防止具を直接足の指の間に貼り付ける事により、皮膚の表面に摩擦を生じさせず、また履物のデザインを限定したり損ねたりせず、履物を汚す事もなくなる事を課題とする。
【課題を解決するための手段】
【０００５】
本考案に係る多角形状鼻緒擦れ防止シートの形状は、4片以上の突出片からなる多角形状である事を特徴とする。4片以上の突出片からなる多角形状に含まれるものは、十字形、花形、星形、大の字形、また1片以上が複雑なデザインにされているものなどであってもよい。
【０００６】
本考案に係る多角形状鼻緒擦れ防止シートの基材となる層は弾力性と可橈性を有する。また摩擦に耐えうるものであればよい。
【０００７】
本考案に係る多角形状鼻緒擦れ防止シートの裏面には粘着層を設ける。粘着層は水になじみにくい肌用粘着剤で、肌に対してアレルギーのない、または少ないものがよい。粘着力は、水平の力でははがれにくく、人の手で簡単にはがせて、はがしても皮膚にダメージを与えない程度がよい。
【０００８】
上記の多角形状鼻緒擦れシートを、足の指の股に貼り付ける。足の指の股とは、例えば足の第1指と第2指の間など。
【考案の効果】
【０００９】
本考案に係る多角形状鼻緒擦れ防止シートの形状は4片以上の突出片からなる多角形状である事から、２片は足の指の側面に、もう2片は足の甲と足の裏に貼り付けられる。これにより足の指の股部分に鼻緒が直接当たる事はなく、鼻緒擦れを防止できる。
【００１０】
本考案に係る多角形状鼻緒擦れ防止シートの基材は弾力性を有する素材である事から、足の指の股部分に対する触感がソフトで圧迫が緩和され、鼻緒擦れが防止される。また薄手で可橈性を有する素材である事から、貼り付ける際や運動時のねじれで破損する事はない。また摩擦に耐えうる素材である事から、鼻緒との擦れにより破損する事はない。
【００１１】
本考案に係る多角形状鼻緒擦れ防止シートの粘着層は肌用粘着剤で、水になじみにくいものを使用した場合は、海や川など水に足を踏み入れる事ができる。肌に対してアレルギーのない、または少ないものを使用した場合は、長時間着用しても肌に炎症を起こしにくい。また水平の力でははがれにくい事から、鼻緒との擦れによりはがれる事はない。また人の手で簡単にはがせ、はがしても皮膚にダメージを与えない程度である事から、日常的に使用する事ができる。
【００１２】
本考案に係る多角形状鼻緒擦れ防止シートを足の指の股に直接貼り付ける事で、履物のデザインを限定したり損ねたりせず、履物を汚す事もない。
【考案を実施するための最良の形態】
【００１３】
次に本考案の実施例となる図面を参照して説明する。本考案に係る多角形状鼻緒擦れ防止シート1の基材の層2は、弾力性と可橈性を有しシート状に形成できる、ゴム、熱可塑性エラストマー、塩化ビニル樹脂、コルク、布状不織布、レザー状不織布、ウレタンフォーム、ハプラゲルなどが挙げられる。厚さは無理なく曲げられる様、1ｍｍ〜2ｍｍ程度である。
【００１４】
本考案に係る多角形状鼻緒擦れ防止シート1の粘着層3は、肌用粘着剤の中で安価なアクリル系粘着剤、もしくは弾力性もあり水にも強い疎水性ポリマー粘着剤などが挙げられる。疎水性ポリマー粘着剤の場合は厚さは無理なく曲げられる様、1ｍｍ〜2ｍｍがよい。
【実施例１】
【００１５】
本実施例に係る多角形状鼻緒擦れ防止シート1は図1に示す様に十字形で、大人用なら幅10ｍｍ長さ10ｍｍの正方形とその４方に幅10ｍｍ長さ10ｍｍの４片の突出片で形成されている。子供用なら幅7ｍｍ長さ7ｍｍの正方形とその４方に幅7ｍｍ長さ7ｍｍの４片の突出片で形成されている。このサイズは図2の様に着用した際、足4の指の間を無理なく覆える様に設定されている。
【００１６】
この実施例に用いる基材の層2は目立たない様透明なイソプレンゴム、粘着層3は安価なアクリル系接着剤で形成されている。イソプレンゴムの厚さは無理なく曲げられる様に1mmとする。
【実施例２】
【００１７】
本考案の他の実施例に係る多角形状鼻緒擦れ防止シート1は図3に示す様に女性に好まれる5片の花形で、大人用なら1片が縦15ｍｍ横10ｍｍの５片の楕円が端を中心に72度の角度で重なっている。子供用なら、1片が縦10ｍｍ横6ｍｍの５片の楕円が端を中心に72度の角度で重なっている。足4の甲に貼り付ける片6と足4の指の側面に貼り付ける片8の間に足4の裏に貼り付ける片7に向かって曲線の切り込み9が大人用は10ｍｍ、子供用は6ｍｍ入っている。足4の甲に貼り付ける片6が足4の甲に来る様に、足4の裏に貼り付ける片7が足4の裏に来る様に、足4の指の側面に貼り付ける片8が足4の指の側面に来る様に貼ると、図4に示す様に足4の甲にハート形が形成され、見た目も楽しめる。このサイズと形状は、足4の指の間を無理なく覆える様、また使用時足4の甲でハート形が綺麗に形成される様に設定されている。
【００１８】
この実施例に用いる基材の層2は花形やハート形にやわらかな印象を与えるため布状ポリエチレン不織布、粘着層3はさらにやわらかさを強調する疎水性ポリマー接着剤で形成されている。厚さは、布状ポリエチレン不織布は1.5mm、疎水性ポリマー粘着剤は2ｍｍ。このサイズは、無理なく曲げられる様に設定されている。
【実施例３】
【００１９】
本考案の他の実施例に係る多角形状鼻緒擦れ防止シート1は図5に示す様に十字型の1片が象をモチーフにデザインされている形状である。大人用なら幅10ｍｍ長さ10ｍｍの正方形とその3方に幅10ｍｍ長さ10ｍｍの3片の突出片、残りの１方に象のモチーフが鼻の先端からしっぽの先端まで40ｍｍ足先から頭頂まで25ｍｍで形成されている。子供用なら幅7ｍｍ長さ7ｍｍの正方形とその3方に幅7ｍｍ長さ7ｍｍの3片の突出片、残りの１方に象のモチーフが鼻の先端からしっぽの先端まで30ｍｍ足先から頭頂まで18ｍｍで形成されている。足4の甲に貼り付ける片6が足4の甲に来る様に、足4の裏に貼り付ける片7が足4の裏に来る様に、足4の指の側面に貼り付ける片8が足4の指の側面に来る様に貼ると、図6に示す様に象のモチーフが形成され、見た目も楽しめる。上記サイズは足4の指の間を無理なく覆える様、また使用時足4の甲で象のモチーフが綺麗に形成される様に設定されている。
【００２０】
この実施例に用いる基材の層2は像のモチーフにやわらかな印象を与えるため布状ポリエチレン不織布、粘着層3はさらにやわらかさを強調する疎水性ポリマー接着剤で形成されている。厚さは、布状ポリエチレン不織布は1.5mm、疎水性ポリマー粘着剤は2ｍｍ。このサイズは、無理なく曲げられる様に設定されている。
【実施例４】
【００２１】
本考案の他の実施例に係る多角形状鼻緒擦れ防止シート1は図7に示す様に5片の大の字形で、大人用なら幅10ｍｍ長さ10ｍｍの正方形とその3方に幅10ｍｍ長さ10ｍｍの3片の突出片、残りの2方に幅10ｍｍ長さ100ｍｍの２片で形成されている。子供用なら幅7ｍｍ長さ7ｍｍの正方形とその3方に幅7ｍｍ長さ7ｍｍの3片の突出片、残りの2方に幅7ｍｍ長さ70ｍｍの２片で形成されている。足4の甲に貼り付ける片6が足4の甲に来る様に、足4の裏に貼り付ける片7が足4の裏に来る様に、足4の指の側面に貼り付ける片8が足4の指の側面に来る様に貼ると、図8に示す様にあたかも草履など履物を履いているような視覚効果が表れ、見た目も楽しめる。また履物とずらして貼れば重ね着の効果も楽しめる。さらに足4の甲に接する部分の鼻緒の擦れも防止できる。上記サイズは足4の指の間を無理なく覆える様、また使用時足4の甲で草履など履物を履いている様な視覚効果が表れる様に設定されている。
【００２２】
この実施例に用いる基材の層2は草履など履物を履いている様な視覚効果を助長するためレザー状ポリエチレン不織布、粘着層3はさらにリアルなふくらみを演出する様疎水性ポリマー接着剤で形成されている。厚さは、レザー状ポリエチレン不織布は1mm、疎水性ポリマー粘着剤は2ｍｍ。このサイズは、無理なく曲げられる様に設定されている。
【図面の簡単な説明】
【００２３】
【図１】本考案に係る多角形状鼻緒擦れ防止シートの実施例１。
【図２】本考案に係る多角形状鼻緒擦れ防止シートの実施例1を足に貼り付け、つま先側から見た様子。
【図３】本考案に係る多角形状鼻緒擦れ防止シートの実施例2。
【図４】本考案に係る多角形状鼻緒擦れ防止シートの実施例2を足に貼り付けた俯瞰図。
【図５】本考案に係る多角形状鼻緒擦れ防止シートの実施例3。
【図６】本考案に係る多角形状鼻緒擦れ防止シートの実施例3を足に貼り付けた俯瞰図。
【図７】本考案に係る多角形状鼻緒擦れ防止シートの実施例4。
【図８】本考案に係る多角形状鼻緒擦れ防止シートの実施例4を足に貼り付けた俯瞰図。
【符号の説明】
【００２４】
１  多角形状鼻緒擦れ防止シート
２  基材の層
３  粘着層
４  足
6  足4の甲に貼り付ける片
7  足4の裏に貼り付ける片
8  足4の指の側面に貼り付ける片
9  切り込み
【図１】
0003120785.tif 000003
【図２】
0003120785.tif 000004
【図３】
0003120785.tif 000005
【図４】
0003120785.tif 000006
【図５】
0003120785.tif 000007
【図６】
0003120785.tif 000008
【図７】
0003120785.tif 000009
【図８】
0003120785.tif 000010